(57)【要約】【課題】視聴中のチャネルとは異なるチャネルの映像または音声の取得を低コストで行う。【解決手段】チューナ部２００の主ストリーム抽出部２２０は、受信した信号から第１のチャネルのストリームを抽出する。副ストリーム抽出部２３０は、受信した信号から第２のチャネルのストリームに含まれる映像及び音声の内のいずれかの種別のパケットを抽出する。合成ストリーム生成部２４０は、第２のチャネルのストリームから抽出された種別のパケットを第１のチャネルのストリームに挿入することにより合成ストリームを生成する。多重分離部３１０は、合成ストリームから、第２のチャネルのストリームの抽出された種別のパケットと、第１のチャネルのストリームの抽出された種別とは異なる種別のパケットを抽出して、映像データと音声データとを生成し、出力する。【選択図】      図１
2013223168.tif 000002
【特許請求の範囲】
【請求項１】
映像パケットと音声パケットを含むストリームが配信されるチャネルを複数含む信号を受信するテレビジョン受信装置であって、
前記受信した信号から第１のチャネルのストリームを抽出する第１のストリーム抽出手段と、前記受信した信号から第２のチャネルのストリームに含まれる映像及び音声の内のいずれかの種別のパケットを抽出する第２のストリーム抽出手段と、前記第２のチャネルのストリームから抽出された種別のパケットを前記第１のチャネルのストリームに挿入することにより合成ストリームを生成する合成ストリーム生成手段とを含むチューナ手段と、
前記合成ストリームから、前記第２のチャネルのストリームの前記抽出された種別のパケットと、前記第１のチャネルのストリームの前記抽出された種別とは異なる種別のパケットを抽出して、映像データと音声データとを生成し、出力する分離手段と、
を備えたテレビジョン受信装置。
【請求項２】
前記分離手段は、前記抽出された種別が音声の場合は、前記合成ストリームから、前記第１のチャネルのストリームの映像パケットを抽出して映像データを生成し、前記第２のチャネルのストリームの音声パケットを抽出して音声データを生成し、前記抽出された種別が映像の場合は、前記合成ストリームから、前記第１のチャネルのストリームの音声パケットを抽出して音声データを生成し、前記第２のチャネルのストリームの映像パケットを抽出する
請求項１に記載のテレビジョン受信装置。
【請求項３】
さらに、
前記第２のストリーム抽出手段において前記第２のチャネルのストリームから抽出するパケットの種別を示す抽出設定情報を記憶する抽出設定情報記憶部と、
前記分離手段において映像パケットを抽出する対象のチャネルと音声パケットを抽出する対象のチャネルを示す分離設定情報を記憶する分離設定情報記憶部と、
前記第２のチャネルと当該第２のチャネルのストリームから抽出するパケットの種別が入力されたときに、当該入力された種別を前記抽出設定情報に設定し、当該入力された種別が音声の場合は、前記分離設定情報の前記映像パケットを抽出する対象のチャネルに前記第１のチャネル、前記音声パケットを抽出する対象のチャネルに前記第２のチャネルを設定し、当該入力された種別が映像の場合は、前記分離設定情報の前記映像パケットを抽出する対象のチャネルに前記第２のチャネル、前記音声パケットを抽出する対象のチャネルに前記第１のチャネルを設定する制御手段を備え、
前記第２のストリーム抽出手段は、前記抽出設定情報に従ってパケットを抽出し、
前記分離手段は、前記分離設定情報に従ってパケットを抽出する
請求項２に記載のテレビジョン受信装置。
【請求項４】
さらに、前記生成された映像データを復号して映像信号を生成し、前記生成された音声データを復号して音声信号を生成し、出力するデコード手段を備えた
請求項２または３に記載のテレビジョン受信装置。
【請求項５】
前記第１のチャネルは、地上波デジタル放送におけるハイビジョン放送のチャネルであり、前記第２のチャネルは、地上波デジタル放送におけるワンセグ放送のチャネルである
請求項１乃至４のいずれかに記載のテレビジョン受信装置。
【請求項６】
映像パケットと音声パケットを含むストリームが配信されるチャネルを複数含む信号を受信するテレビジョン受信方法であって、
前記受信した信号から第１のチャネルのストリームを抽出し、
前記受信した信号から第２のチャネルのストリームに含まれる映像及び音声の内のいずれかの種別のパケットを抽出し、
前記第２のチャネルのストリームから抽出された種別のパケットを前記第１のチャネルのストリームに挿入することにより合成ストリームを生成し、
前記合成ストリームから、前記第２のチャネルのストリームの前記抽出された種別のパケットと、前記第１のチャネルのストリームの前記抽出された種別とは異なる種別のパケットを抽出して、映像データと音声データとを生成し、出力する
テレビジョン受信方法。
【請求項７】
前記合成ストリームから映像データと音声データとを生成する場合、
前記抽出された種別が音声の場合は、前記合成ストリームから、前記第１のチャネルのストリームの映像パケットを抽出して映像データを生成し、前記第２のチャネルのストリームの音声パケットを抽出して音声データを生成し、前記抽出された種別が映像の場合は、前記合成ストリームから、前記第１のチャネルのストリームの音声パケットを抽出して音声データを生成し、前記第２のチャネルのストリームの映像パケットを抽出して映像データを生成する
請求項６に記載のテレビジョン受信方法。
【請求項８】
さらに、
前記第２のチャネルと当該第２のチャネルのストリームから抽出するパケットの種別が入力されたときに、当該入力された種別を抽出設定情報に設定し、当該入力された種別が音声の場合は、分離設定情報の映像パケットを抽出する対象のチャネルに前記第１のチャネル、音声パケットを抽出する対象のチャネルに前記第２のチャネルを設定し、当該入力された種別が映像の場合は、前記分離設定情報の前記映像パケットを抽出する対象のチャネルに前記第２のチャネル、前記音声パケットを抽出する対象のチャネルに前記第１のチャネルを設定し、
前記第２のストリームからパケットを抽出する場合は、前記抽出設定情報に従ってパケットを抽出し、
前記合成ストリームからパケットを抽出する場合は、前記分離設定情報に従ってパケットを抽出する
請求項７に記載のテレビジョン受信方法。
【請求項９】
さらに、前記生成された映像データを復号して映像信号を生成し、前記生成された音声データを復号して音声信号を生成し、出力する
請求項７または８に記載のテレビジョン受信方法。
【請求項１０】
前記第１のチャネルは、地上波デジタル放送におけるハイビジョン放送のチャネルであり、前記第２のチャネルは、地上波デジタル放送におけるワンセグ放送のチャネルである
請求項６乃至９のいずれかに記載のテレビジョン受信方法。
【発明の詳細な説明】
【技術分野】
【０００１】
本発明は、テレビジョン受信装置、及び、テレビジョン受信方法に関し、特に、デジタルテレビジョン放送を受信するためのテレビジョン受信装置、及び、テレビジョン受信方法に関する。
【背景技術】
【０００２】
デジタルテレビジョン放送の受信装置において、視聴中、または、録画中のチャネルとは異なるチャネルについても、同時に、視聴、または、録画を行いたいという要求がある。このように、複数のチャネルの視聴、録画を同時に行う装置として、アンテナの受信信号を復調してトランスポートストリームを出力するチューナと、トランスポートストリームに含まれる映像や音声のＭＰＥＧ（Moving Picture Expert Group）データをデコードして、映像、音声を出力するＭＰＥＧデコーダとの組を複数備えたテレビジョン受信装置が知られている。
【０００３】
また、特許文献１には、デジタルテレビジョンチューナ装置において、２つのチャネルについて復調を行い、一方のチャネルに対して抽出されたトランスポートストリームに、他方のチャネルに対して抽出されたトランスポートストリーム内の番組表（ＥＰＧ：Electronic Program Guide）データを挿入する方法が開示されている。
【先行技術文献】
【特許文献】
【０００４】
【特許文献１】特開２００８−１４１５７９号公報
【発明の概要】
【発明が解決しようとする課題】
【０００５】
上述のような、チューナとＭＰＥＧデコーダを複数備えたテレビジョン受信装置は、コストが高くなるという問題がある。
【０００６】
また、特許文献１のチューナ装置では、視聴中のチャネルとは異なるチャネルの番組表は閲覧できるが、映像や音声を確認することはできない。
【０００７】
本発明の目的は、上述の課題を解決し、視聴中のチャネルとは異なるチャネルの映像または音声の取得を低コストで行うことができるテレビジョン受信装置、及び、テレビジョン受信方法を提供することである。
【課題を解決するための手段】
【０００８】
本発明のテレビジョン受信装置は、映像パケットと音声パケットを含むストリームが配信されるチャネルを複数含む信号を受信するテレビジョン受信装置であって、前記受信した信号から第１のチャネルのストリームを抽出する第１のストリーム抽出手段と、前記受信した信号から第２のチャネルのストリームに含まれる映像及び音声の内のいずれかの種別のパケットを抽出する第２のストリーム抽出手段と、前記第２のチャネルのストリームから抽出された種別のパケットを前記第１のチャネルのストリームに挿入することにより合成ストリームを生成する合成ストリーム生成手段とを含むチューナ手段と、前記合成ストリームから、前記第２のチャネルのストリームの前記抽出された種別のパケットと、前記第１のチャネルのストリームの前記抽出された種別とは異なる種別のパケットを抽出して、映像データと音声データとを生成し、出力する分離手段と、を備える。
【０００９】
本発明のテレビジョン受信方法は、映像パケットと音声パケットを含むストリームが配信されるチャネルを複数含む信号を受信するテレビジョン受信方法であって、前記受信した信号から第１のチャネルのストリームを抽出し、前記受信した信号から第２のチャネルのストリームに含まれる映像及び音声の内のいずれかの種別のパケットを抽出し、前記第２のチャネルのストリームから抽出された種別のパケットを前記第１のチャネルのストリームに挿入することにより合成ストリームを生成し、前記合成ストリームから、前記第２のチャネルのストリームの前記抽出された種別のパケットと、前記第１のチャネルのストリームの前記抽出された種別とは異なる種別のパケットを抽出して、映像データと音声データとを生成し、出力する。
【発明の効果】
【００１０】
本発明の効果は、視聴中のチャネルとは異なるチャネルの映像または音声の取得を低コストで行えることである。
【図面の簡単な説明】
【００１１】
【図１】本発明の実施の形態の特徴的な構成を示すブロック図である。
【図２】本発明の実施の形態における、テレビジョン受信装置１の構成を示すブロック図である。
【図３】本発明の実施の形態における、主チャネル視聴時の処理を示すフローチャートである。
【図４】本発明の実施の形態における、ストリームの例を示す図である。
【図５】本発明の実施の形態における、ストリームから生成されるデータの例を示す図である。
【図６】本発明の実施の形態における、抽出設定情報２３５の例を示す図である。抽出設定
【図７】本発明の実施の形態における、分離設定情報３２１の例を示す図である。
【図８】本発明の実施の形態における、主チャネルと副チャネルの同時視聴時の処理を示すフローチャートである。
【図９】本発明の実施の形態における、ストリームの他の例を示す図である。
【図１０】本発明の実施の形態における、ストリームから生成されるデータの他の例を示す図である
【図１１】本発明の実施の形態における、抽出設定情報２３５の他の例を示す図である。
【図１２】本発明の実施の形態における、分離設定情報３２１の他の例を示す図である。
【発明を実施するための形態】
【００１２】
次に、本発明の実施の形態について説明する。ここでは、地上デジタルテレビジョン放送のテレビジョン受信装置を例に説明する。
【００１３】
はじめに、本発明の実施の形態の構成について説明する。図２は、本発明の実施の形態における、テレビジョン受信装置１の構成を示すブロック図である。
【００１４】
図２を参照すると、本発明の実施の形態のテレビジョン受信装置１は、アンテナ１００、チューナ部２００、ＭＰＥＧデコード部３００、制御部４００、表示部５００、及び、スピーカ（音声出力部）６００を含む。
【００１５】
チューナ部２００は、アンテナ分配部２１０、主ストリーム抽出部（第１のストリーム抽出部）２２０、副ストリーム抽出部（第２のストリーム抽出部）２３０、及び、合成ストリーム生成部２４０を含む。
【００１６】
アンテナ分配部２１０は、アンテナ１００で受信された信号を、主ストリーム抽出部２２０と副ストリーム抽出部２３０とに分配する。
【００１７】
主ストリーム抽出部２２０は、選局部２２１、及び、復調部２２２を含む。選局部２２１は、アンテナ１００の受信信号から、指定された主チャネル（第１のチャネル）の周波数の放送（信号）を抽出する。ここでは、主チャネルとして、地上デジタルテレビジョン放送におけるハイビジョン放送のチャネルが指定されると仮定する。復調部２２２は、選局部２２１により抽出された主チャネルの信号を復調し、主チャネルで配信されるトランスポートストリーム（以下、ストリームとする）を抽出する。
【００１８】
図４、及び、図９は、本発明の実施の形態における、ストリームの例を示す図である。
【００１９】
ストリームは、ＭＰＥＧで定義されるトランスポートストリーム（Transport Stream）であり、図４、図９に示すように、複数のトランスポートパケット（以下、ＴＳパケット、または、パケットとする）に分割される。ここで、各パケットには、ＭＰＥＧの映像データ、及び、ＭＰＥＧの音声データが分割して格納される。なお、ここでは、映像データ、及び、音声データを含むパケットを、それぞれ、映像パケット、及び、音声パケットと定義する。各パケットに含まれるデータ種別は、各パケットに付与されるＰＩＤ（Packet ID）により識別される。また、本発明の実施の形態では、各パケットのヘッダ領域等に、パケットが受信されたチャネルのチャネル番号が付与される。
【００２０】
副ストリーム抽出部２３０は、選局部２３１、復調部２３２、パケット抽出部２３３、及び、抽出設定情報記憶部２３４を含む。選局部２３１は、選局部２２１と同様に、アンテナ１００の受信信号から、指定された副チャネル（第２のチャネル）の周波数の放送（信号）を抽出する。ここでは、副チャネルとして、地上デジタルテレビジョン放送におけるワンセグ放送のチャネルが指定されると仮定する。また、ワンセグ放送の各チャネルでは、ハイビジョン放送の各チャネルに対応した映像、及び、音声が配信されると仮定する。復調部２３２は、復調部２２２と同様に、選局部２３１により抽出された副チャネルの信号を復調し、副チャネルで配信されるストリームを抽出する。パケット抽出部２３３は、ストリームから、映像及び音声パケットの内の指定されたデータ種別に対応するパケットを抽出する。なお、選局部２３１、復調部２３２、及び、パケット抽出部２３３は、ワンセグ放送の選局、復調、及び、映像、音声パケットの抽出に特化されていてもよい。抽出設定情報記憶部２３４は、パケット抽出部２３３が抽出するパケットのデータ種別を示す抽出設定情報２３５を記憶する。図６、及び、図１１は、本発明の実施の形態における、抽出設定情報２３５の例を示す図である。抽出設定情報２３５は、図６、図１１に示すように、データ種別を含む。
【００２１】
合成ストリーム生成部２４０は、主ストリーム抽出部２２０で抽出されたストリームに、副ストリーム抽出部２３０で抽出されたパケットを挿入することにより、合成トランスポートストリーム（以下、合成ストリーム）を生成する。
【００２２】
ＭＰＥＧデコード部３００は、多重分離部（分離部）３１０、分離設定情報記憶部３２０、及び、デコード部３３０を含む。
【００２３】
多重分離部３１０は、合成ストリームから、映像パケット、及び、音声パケットをそれぞれ抽出し、各パケットに含まれる分割されたデータを結合することにより、映像データ、及び、音声データを生成する。
【００２４】
分離設定情報記憶部３２０は、デコード部３３０でデコード（復号）する映像データ、及び、音声データのチャネル番号を示す分離設定情報３２１を記憶する。図７、及び、図１２は、本発明の実施の形態における、分離設定情報３２１の例を示す図である。分離設定情報３２１は、図７、図１２に示すように、映像データ、及び、音声データの各々に対するチャネル番号を含む。
【００２５】
デコード部３３０は、映像データ、及び、音声データをデコード（復号）し、映像信号、及び、音声信号を出力する。
【００２６】
制御部４００は、ユーザ等から、主チャネル、副チャネル、及び、副チャネルから抽出するデータ種別（映像、または、音声）の指定の入力を受け付け、抽出設定情報２３５、及び、分離設定情報３２１の設定を行う。
【００２７】
表示部５００は、デコード部３３０から出力された映像信号をもとに映像を表示する。
【００２８】
スピーカ６００は、デコード部３３０から出力された音声信号をもとに音声を出力する。
【００２９】
次に、本発明の実施の形態における、テレビジョン受信装置１の動作について説明する。
【００３０】
はじめに、主チャネル視聴時の動作について説明する。ここでは、主チャネルとして、ハイビジョン放送のチャネルＡを視聴する場合を例に、動作を説明する。なお、初期状態では、抽出設定情報２３５には、図６のように値が設定されていない（ｎｕｌｌが設定されている）と仮定する。また、分離設定情報３２１にも、同様に値が設定されていない（ｎｕｌｌが設定されている）と仮定する。
【００３１】
図３は、本発明の実施の形態における、主チャネル視聴時の処理を示すフローチャートである。
【００３２】
はじめに、制御部４００は、ユーザから、視聴するチャネル（主チャネル）のチャネル番号の入力を受け付ける（ステップＳ１０１）。
【００３３】
例えば、制御部４００は、主チャネルのチャネル番号として、「チャネルＡ」を受け付ける。
【００３４】
制御部４００は、主チャネルのチャネル番号を、主ストリーム抽出部２２０の選局部２２１に設定する（ステップＳ１０２）。
【００３５】
例えば、制御部４００は、選局部２２１に「チャネルＡ」を設定する。
【００３６】
制御部４００は、主チャネルのチャネル番号を、分離設定情報３２１の映像データ、及び、音声データに対して設定する（ステップＳ１０３）。
【００３７】
例えば、制御部４００は、図７に示すように、「チャネルＡ」を、分離設定情報３２１の映像データ、及び、音声データに対して設定する
主ストリーム抽出部２２０の選局部２２１は、アンテナ１００の受信信号から、主チャネルのチャネル番号に対応した受信周波数の信号を抽出する（ステップＳ１０４）。
【００３８】
例えば、選局部２２１は、チャネルＡに対応した受信周波数の信号を抽出する。
【００３９】
復調部２２２は、選局部２２１により抽出された主チャネルの信号を復調してストリームを抽出し、合成ストリーム生成部２４０に出力する（ステップＳ１０５）。ここで、復調部２２２は、ストリーム内の各パケットに、チャネル番号を付与して出力する。
【００４０】
例えば、復調部２２２は、図４（ａ）に示すようなストリームを出力する。
【００４１】
なお、副ストリーム抽出部２３０の抽出設定情報２３５には値が設定されていないため、副ストリーム抽出部２３０では、パケットの抽出は行われない。
【００４２】
合成ストリーム生成部２４０は、主ストリーム抽出部２２０で抽出されたストリームを、ＭＰＥＧデコード部３００に出力する（ステップＳ１０６）。
【００４３】
例えば、合成ストリーム生成部２４０は、図４（ｂ）に示すようなストリームを出力する。
【００４４】
ＭＰＥＧデコード部３００の多重分離部３１０は、分離設定情報３２１をもとに、合成ストリーム生成部２４０から出力されたストリームから、映像データ、及び、音声データを生成する（ステップＳ１０７）。ここで、多重分離部３１０は、ストリームから、分離設定情報３２１の映像データに対応するチャネル番号のパケットを抽出し、結合することにより、映像データを生成する。また、多重分離部３１０は、分離設定情報３２１の音声データに対応するチャネル番号のパケットを抽出し、結合することにより、音声データを生成する。
【００４５】
図５は、本発明の実施の形態における、ストリームから生成されるデータの例を示す図である。例えば、多重分離部３１０は、図７の分離設定情報３２１を参照し、図５に示すように、チャネルＡの映像パケット、及び、チャネルＡの音声パケットをもとに、映像データ、及び、音声データを生成する。
【００４６】
デコード部３３０は、映像データ、及び、音声データをデコードし、映像信号、及び、音声信号を生成する（ステップＳ１０８）。表示部５００は、映像信号をもとに映像を表示する（ステップＳ１０９）。スピーカ６００は、音声信号をもとに音声を出力する（ステップＳ１１０）。
【００４７】
これにより、ユーザはハイビジョン放送のチャネルＡの映像及び音声を視聴できる。
【００４８】
次に、主チャネルと副チャネルの同時視聴時の動作について説明する。
【００４９】
ここでは、主チャネルとしてハイビジョン放送のチャネルＡを視聴しているときに、チャネルＡに加えて、副チャネルとしてワンセグ放送のチャネルＢを同時に視聴する場合を例に、動作を説明する。
【００５０】
図８は、本発明の実施の形態における、主チャネルと副チャネルの同時視聴時の処理を示すフローチャートである。
【００５１】
はじめに、制御部４００は、ユーザから、主チャネルに加えて視聴するチャネル（副チャネル）のチャネル番号と視聴対象のデータ種別の入力を受け付ける（ステップＳ２０１）。
【００５２】
例えば、制御部４００は、副チャネルのチャネル番号「チャネルＢ」、視聴対象のデータ種別「音声」を受け付ける。
【００５３】
制御部４００は、副チャネルのチャネル番号を、副ストリーム抽出部２３０の選局部２３１に設定する（ステップＳ２０２）。
【００５４】
例えば、制御部４００は、選局部２３１に「チャネルＢ」を設定する。
【００５５】
制御部４００は、入力されたデータ種別を、副ストリーム抽出部２３０の抽出設定情報２３５に設定する（ステップＳ２０３）。
【００５６】
例えば、制御部４００は、図１１に示すように、抽出設定情報２３５に「音声」を設定する。
【００５７】
制御部４００は、副チャネルのチャネル番号を、分離設定情報３２１における、入力されたデータ種別に対して設定する（ステップＳ２０４）。
【００５８】
例えば、制御部４００は、図１２に示すように、「チャネルＢ」を、分離設定情報３２１の音声データに対して設定する。
【００５９】
主ストリーム抽出部２２０の選局部２２１は、ステップＳ１０４と同様に、アンテナ１００の受信信号から、主チャネルのチャネル番号に対応した受信周波数の信号を抽出する（ステップＳ２０５）。
【００６０】
例えば、選局部２２１は、チャネルＡに対応した受信周波数の信号を抽出する。
【００６１】
復調部２２２は、ステップＳ１０５と同様に、選局部２２１により抽出された主チャネルの信号を復調してストリームを抽出し、合成ストリーム生成部２４０に出力する（ステップＳ２０６）。
【００６２】
例えば、復調部２２２は、図９（ａ）に示すようなストリームを出力する。
【００６３】
副ストリーム抽出部２３０の選局部２３１は、アンテナ１００の受信信号から、副チャネルのチャネル番号に対応した受信周波数の信号を抽出する（ステップＳ２０７）。
【００６４】
例えば、選局部２２１は、チャネルＢに対応した受信周波数の信号を抽出する。
【００６５】
復調部２３２は、選局部２３１により抽出された副チャネルの信号を復調してストリームを抽出する（ステップＳ２０８）。ここで、復調部２３２は、ストリーム内の各パケットに、チャネル番号を付与して出力する。
【００６６】
例えば、復調部２３２は、図９（ｂ）に示すようなストリームを出力する。
【００６７】
パケット抽出部２３３は、復調部２３２から出力されたストリームから、映像及び音声パケットの内の、分離設定情報３２１で示されたデータ種別に対応するパケットを抽出し、合成ストリーム生成部２４０に出力する（ステップＳ２０９）。ここで、パケット抽出部２３３は、ＰＩＤをもとに、映像パケット、または、音声パケットを抽出する。
【００６８】
例えば、パケット抽出部２３３は、図１１の抽出設定情報２３５を参照し、図９（ｂ）のストリームから音声パケットを抽出する。
【００６９】
合成ストリーム生成部２４０は、主ストリーム抽出部２２０で抽出されたストリームに、副ストリーム抽出部２３０で抽出されたパケットを挿入することにより、合成ストリームを生成し、ＭＰＥＧデコード部３００に出力する（ステップＳ２１０）。
【００７０】
例えば、合成ストリーム生成部２４０は、図９（ａ）のストリームに、図９（ｂ）のストリームから抽出された音声パケットを挿入し、図９（ｃ）に示すようなストリーム（合成ストリーム）を生成し、出力する。
【００７１】
ＭＰＥＧデコード部３００の多重分離部３１０は、ステップＳ１０７と同様に、分離設定情報３２１をもとに、合成ストリーム生成部２４０から出力されたストリームから、映像データ、及び、音声データを生成する（ステップＳ２１１）。
【００７２】
図１０は、本発明の実施の形態における、ストリームから生成されるデータの例を示す図である。例えば、多重分離部３１０は、図１２の分離設定情報３２１を参照し、図１０に示すように、チャネルＡの映像パケット、及び、チャネルＢの音声パケットをもとに、映像データ、及び、音声データを生成する。
【００７３】
デコード部３３０は、映像データ、及び、音声データをデコードし、映像信号、及び、音声信号を生成する（ステップＳ２１２）。表示部５００は、映像信号をもとに映像を表示する（ステップＳ２１３）。スピーカ６００は、音声信号をもとに音声を出力する（ステップＳ２１４）。
【００７４】
これにより、ユーザはハイビジョン放送のチャネルＡの映像を見ながら、ワンセグ放送のチャネルＢの音声を聞くことができる。
【００７５】
なお、ここでは、副チャネルのデータ種別に「音声」が指定された場合を例に説明したが、副チャネルのデータ種別に「映像」が指定された場合は、抽出設定情報２３５に「映像」が設定され、分離設定情報３２１の映像データに対して「チャネルＢ」が設定される。そして、合成ストリーム生成部２４０では、主ストリーム抽出部２２０で抽出されたストリームに、副ストリーム抽出部２３０で抽出された映像パケットが挿入される。さらに、ＭＰＥＧデコード部３００では、チャネルＢの映像パケット、及び、チャネルＡの音声パケットをもとに、映像データ、及び、音声データが生成される。
【００７６】
これにより、ユーザはワンセグ放送のチャネルＢの映像を見ながら、ハイビジョン放送のチャネルＡの音声を聞くことができる。
【００７７】
また、ステップＳ２１２の後に、ユーザから、副チャネルの視聴の解除の入力を受け付けた場合、制御部４００は、抽出設定情報２３５と分離設定情報３２１とをステップＳ２０３、Ｓ２０４における設定前の状態に戻してもよい。すなわち、制御部４００は、抽出設定情報２３５を初期化し、分離設定情報３２１の映像データ、及び、音声データに対して、主チャネルのチャネル番号を設定する。
【００７８】
これにより、ユーザは、再び、ハイビジョン放送のチャネルＡの映像と音声を視聴できる。
【００７９】
以上により、本発明の実施の形態の動作が完了する。
【００８０】
次に、本発明の実施の形態の特徴的な構成を説明する。図１は、本発明の実施の形態の特徴的な構成を示すブロック図である。
【００８１】
テレビジョン受信装置１は、映像パケットと音声パケットを含むストリームが配信されるチャネルを複数含む信号を受信するテレビジョン受信装置である。
【００８２】
テレビジョン受信装置１は、主ストリーム抽出部（第１のストリーム抽出部）２２０、副ストリーム抽出部（第２のストリーム抽出部）２３０、及び、合成ストリーム生成部２４０を含むチューナ部２００と、多重分離部（分離部）３１０とを備える。
【００８３】
ここで、主ストリーム抽出部２２０は、受信した信号から第１のチャネルのストリームを抽出する。副ストリーム抽出部２３０は、受信した信号から第２のチャネルのストリームに含まれる映像及び音声の内のいずれかの種別のパケットを抽出する。合成ストリーム生成部２４０は、第２のチャネルのストリームから抽出された種別のパケットを第１のチャネルのストリームに挿入することにより合成ストリームを生成する。
【００８４】
多重分離部３１０は、合成ストリームから、第２のチャネルのストリームの抽出された種別のパケットと、第１のチャネルのストリームの抽出された種別とは異なる種別のパケットを抽出して、映像データと音声データとを生成し、出力する。
【００８５】
本発明の実施の形態によれば、視聴中のチャネルとは異なるチャネルの映像または音声の取得を低コストで行うことができる。その理由は、チューナ部２００の合成ストリーム生成部２４０が、副ストリーム抽出部２３０によって抽出された第２のチャネルのストリームの映像または音声パケットを、主ストリーム抽出部２２０によって抽出された第１のチャネルのストリームに挿入して合成ストリームを生成し、出力するためである。これにより、高価なチューナやＭＰＥＧデコーダを複数用いることなく、視聴中のチャネルとは異なるチャネルの映像または音声の取得ができる。
【００８６】
特に、地上デジタルテレビジョン放送におけるワンセグ放送の各チャネルで、ハイビジョン放送の各チャネルに対応した映像、及び、音声が配信されている場合、チューナ部２００の副ストリーム抽出部２３０をワンセグ放送の選局、復調、及び、パケット抽出に特化することにより、より低コストで、ハイビジョン放送の他チャネルの映像、及び、音声を確認できる。
【００８７】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００８８】
例えば、本発明の実施の形態では、主チャネルとして地上デジタルテレビジョン放送におけるハイビジョン放送のチャネル、副チャネルとしてワンセグ放送のチャネルが指定される場合を例に説明したが、両チャネルに地上デジタルテレビジョン放送のハイビジョン放送のチャネルが指定される場合、あるいは、両チャネルにワンセグ放送のチャネルが指定される場合についても、同様の構成を適用することにより、同様の効果が得られる。
【００８９】
また、地上デジタルテレビジョン放送以外に、ＢＳ（Broadcasting Satellite）やＣＳ（Communications Satellite）、ＣＡＴＶ（Cable television）テレビジョン放送等、各チャネルの映像及び音声の配信にデータ種別毎のパケットにより構成されるトランスポートストリームを用いる放送システムであれば、同様の構成を適用することにより、同様の効果が得られる。
【符号の説明】
【００９０】
１    テレビジョン受信装置
１００    アンテナ
２００    チューナ部
２１０    アンテナ分配部
２２０    主ストリーム抽出部
２２１    選局部
２２２    復調部
２３０    副ストリーム抽出部
２３１    選局部
２３２    復調部
２３３    パケット抽出部
２３４    抽出設定情報記憶部
２３５    抽出設定情報
２４０    合成ストリーム生成部
３００    ＭＰＥＧデコード部
３１０    多重分離部
３２０    分離設定情報記憶部
３２１    分離設定情報
３３０    デコード部
４００    制御部
５００    表示部
６００    スピーカ
【図１】
2013223168.tif 000003
【図２】
2013223168.tif 000004
【図３】
2013223168.tif 000005
【図４】
2013223168.tif 000006
【図５】
2013223168.tif 000007
【図６】
2013223168.tif 000008
【図７】
2013223168.tif 000009
【図８】
2013223168.tif 000010
【図９】
2013223168.tif 000011
【図１０】
2013223168.tif 000012
【図１１】
2013223168.tif 000013
【図１２】
2013223168.tif 000014